(57)【要約】      （修正有）【課題】ＬＥＤ表示装置の玉切れの発見を容易にするとともに、玉切れが発生しても、見苦しさを早急に解消する。【解決手段】表示装置１０は、複数のＬＥＤ発光体９をマトリックス状に配設した表示部３と、表示部３の個々のＬＥＤ発光体９の点滅制御を行なう制御部１１と、制御部１１及び表示部３に電流を供給する電源部５を備える。さらに、電源部５から表示部３への電源ラインに電流検出部１２が設けられ、供給される電流の有無を判断する。【選択図】図２
2006145826.tif 000002
【特許請求の範囲】
【請求項１】
複数のＬＥＤ発光体をマトリックス状に配設した表示部と、
前記表示部の個々のＬＥＤ発光体の点滅制御を行なう制御部と、
前記制御部及び前記表示部に電流を供給する電源部と、
前記電源部から前記表示部への電源ラインに設けられ、供給される電流の有無を判断する電流検出部と、を備える表示装置。
【請求項２】
請求項１に記載の表示装置であって、
前記個々のＬＥＤ発光体毎に、電流の有無を検出し、電流が無しの場合、当該ＬＥＤ発光体は、玉切れであると判断し、表示内容を変更する、表示装置。
【請求項３】
請求項１又は２に記載の表示装置であって、
前記複数のＬＥＤ発光体は、複数の発光色を有し、玉切れが検出された前記ＬＥＤ発光体の発光色と異なる発光色に点灯制御を行なう、表示装置。
【請求項４】
複数のＬＥＤ発光体をマトリックス状に配設した表示部と、
前記表示部の個々のＬＥＤ発光体の点滅制御を行なう制御部と、
前記制御部及び前記表示部に電流を供給する電源部と、
前記電源部から前記表示部への電源ラインに設けられ、供給される電流の有無を判断する電流検出部と、
管理者と通信するための通信部とを備える表示装置と、
前記管理者のパソコンと、前記表示装置と前記パソコンとを接続するネットワークとから構成されることを特徴とする表示装置システム。
【請求項５】
複数のＬＥＤ発光体をマトリックス状に配設した表示部と、前記表示部の個々のＬＥＤ発光体の点滅制御を行なう制御部と、前記制御部及び前記表示部に電流を供給する電源部とを備えた表示装置において、前記電源部から前記表示部への電源ラインに、供給される電流の有無を判断する電流検出部を備え、前記個々のＬＥＤ発光体毎の電流の有無を検出し、電流が有りの場合は正常、電流が無しの場合は、玉切れと判断する表示装置の検査方法。
【発明の詳細な説明】
【技術分野】
【０００１】
本発明は、複数のＬＥＤ発光体をマトリックス状に配設し、文字、図形等を表示する表示装置及びそのシステムに関する。
【背景技術】
【０００２】
複数のＬＥＤ発光体をマトリックス状に配設した表示部を有し、ＬＥＤ発光体の点滅制御により、文字や図形等の表示を行なうことが従来から行なわれている。
【０００３】
図８は、従来の表示装置の内部ブロック図である。表示装置１は、複数のＬＥＤ発光体（図示せず）及び各ＬＥＤ発光体を駆動するドライバ等を備えたＬＥＤ表示部３と、プログラム及び表示データ等を格納する記憶部（図示せず）を備え、ＬＥＤ表示部３の個々のＬＥＤ発光体の点滅制御を行なう制御部４と、制御部４及びＬＥＤ表示部３に電源を供給する電源部５とを備えている。
【０００４】
ここで、個々のＬＥＤ発光体の駆動は、図９に示されるように、複数のＬＥＤ発光体９と、各ＬＥＤ発光体９に直列接続された電流制限用抵抗１０及びトランジスタ７とを基本構成とし、制御部４からのトランジスタ７のベースへ制御信号Ｓにより、各ＬＥＤ発光体９の点滅制御が行なわれる。
【０００５】
【特許文献１】特開平９−０１６１０６号公報
【発明の開示】
【発明が解決しようとする課題】
【０００６】
しかしながら、表示装置は、屋外に設置される場合が多く、使用時間、使用環境等の要因により、ＬＥＤ発光体の玉切れが発生することがあり、観察者から見た場合、表示内容が、常に動いている（以下、スクロールしている）場合は、あまり気にはならないが、表示内容が固定の場合においては、見苦しいという課題がある。
【０００７】
また、このような玉切れの検出については、従来は、観察者の視覚に頼り、毎日、表示装置のＯＮ／ＯＦＦを行なっている場合は、比較的、容易に玉切れを見つけることができるが、時間によりＯＮ／ＯＦＦを自動制御している場合においては、玉切れを見つけることは難しいという課題がある。
【０００８】
また、玉切れがある表示装置の対応においては、保守管理を行なう管理者に連絡し、本体を交換するか、本体を送り、玉切れのＬＥＤ発光体のみを交換する対応が考えられるが、いずれの場合においても、時間と工数がかかるという課題がある。
【０００９】
本発明は、上記課題に鑑みてなされたもので、玉切れの発見を容易にするとともに、玉切れが発生しても、見苦しさを早急に解消し得る表示装置及び表示装置管理システムを提供することを目的とする。
【００１０】
上記目的を達成するために、本発明の表示装置は、複数のＬＥＤ発光体をマトリックス状に配設した表示部と、前記表示部の個々のＬＥＤ発光体の点滅制御を行なう制御部と、前記制御部及び前記表示部に電流を供給する電源部と、前記電源部から前記表示部への電源ラインに、供給される電流の有無を判断する電流検出部を備える。
【００１１】
係る構成によれば、個々のＬＥＤ発光体への供給される電流の有無を検出することができ、個々のＬＥＤ発光体の玉切れしているか否かを判断することができる。
【００１２】
上述の装置において、個々のＬＥＤ発光体毎に、電流の有無を検出し、電流が無しの場合、当該ＬＥＤ発光体は、玉切れであると判断し、表示内容を変更する表示装置である。
【００１３】
係る構成によれば、玉切れしたＬＥＤ発光体を使用しない表示内容に変更できるため見苦しさを回避することができる。
【００１４】
また、前記複数のＬＥＤ発光体は、複数の発光色を有し、玉切れが検出された前記ＬＥＤ発光体の発光色と異なる発光色に点灯制御を行なう表示装置である。
【００１５】
係る構成によれば、複数の発光色のうち、１つの発光色が玉切れを起こしても他の発光色で点灯させることが可能となり、観察者に玉切れを認識されることがない。
【００１６】
更に本発明は、複数のＬＥＤ発光体をマトリックス状に配設した表示部と、前記表示部の個々のＬＥＤ発光体の点滅制御を行なう制御部と、前記制御部及び前記表示部に電流を供給する電源部と、前記電源部から前記表示部への電源ラインに、供給される電流の有無を判断する電流検出部と、管理者と通信するための通信部とを備えた表示装置と、前記管理者のパソコンと、前記表示装置と前記パソコンとを接続するネットワークとから構成される表示装置システムを提供する。
【００１７】
係る構成によれば、表示装置が設置された場所にいなくても個々のＬＥＤ発光体の玉切れの有無を表示装置の管理者は確認し、対応することができる。
【００１８】
更に本発明は、複数のＬＥＤ発光体をマトリックス状に配設した表示部と、前記表示部の個々のＬＥＤ発光体の点滅制御を行なう制御部と、前記制御部及び前記表示部に電流を供給する電源部とを備えた表示装置において、前記電源部から前記表示部への電源ラインに、供給される電流の有無を判断する電流検出部を備え、前記個々のＬＥＤ発光体毎の電流の有無を検出し、電流が有りの場合は正常、電流が無しの場合は、玉切れと判断する表示装置の検査方法である。
【００１９】
係る構成によれば、表示装置が個々のＬＥＤ発光体の玉切れの有無を判断することが可能であり、従来のように観察者の目視による手間が省ける。
【発明の効果】
【００２０】
以上述べた本発明の表示装置によれば、表示装置が、能動的に個々のＬＥＤ発光体の玉切れを検出することができ、玉切れが検出された場合、表示内容を変更することができるため、保守管理を行なう管理者に容易に認識させることができるとともに、観察者に対しては見苦しさを防ぐことができる。
【００２１】
また、本発明の表示装置のシステム構成によれば、通信部により、玉切れを管理者に通知することができるため、玉切れが発生した場合の対応を迅速に行なうことが可能になる。
【発明を実施するための最良の形態】
【００２２】
以下、本発明に係る実施形態について、添付図面を参照しながら説明する。なお、図を説明するあたり、従来と同一構成には、同一符号を付し、説明を省略する。
【００２３】
（実施の形態１）
図１は、本発明の表示装置の第１の実施形態の内部ブロック図であり、図１に示されるように、表示装置１０は、ＬＥＤ表示部３と電源部５との間に、ＬＥＤ発光体に供給される電流の有無を検出する電流検出部１２を備える。電流検出部１２は図２の内部回路図に示されるように、制御部１１からの制御信号により、動作状態（端子１５ａ側）と検査状態（端子１５ｂ側）とを切り替えるための切り替え選択部１５と、抵抗１６と、抵抗１６の両端の電圧を検出し、電圧降下の有無を判定する比較部１７とを備え、通常の動作状態で状態では、切り替え選択部１５を端子１５ａ側にし、制御部１１が、ＬＥＤ表示部３の個々のＬＥＤ発光体９の点滅制御を行なう。
【００２４】
また、制御部１１の内部には、個々のＬＥＤ発光体９の正常／異常（玉切れ）の情報を格納した玉切れ情報部１６を備えている。
【００２５】
次に、表示装置１による個々のＬＥＤ発光体９の玉切れの検査方法について図２のＬＥＤ駆動部の概略図及び図３のフローチャート図を基に説明する。
【００２６】
まず、制御部１１は、制御信号により切り替え選択部１５を端子１５ｂ側に切り替え検査状態にし（ステップＳ１）、検査対象となる１個のＬＥＤ発光体９のトランジスタ７のベースに電流を流す（ステップＳ２）。
【００２７】
次に、制御部１１は、比較部１７の出力から抵抗１６に電流が流れたか否かを判断し（ステップＳ３）、判断の結果、電流が流れた場合、当該ＬＥＤ発光体９は正常と判断し、玉切れ情報部１６に「正常」であることを数値として記録する（ステップＳ４）。
【００２８】
ステップＳ３の判断の結果、抵抗１６に電流が流れなかった場合、制御部１１は、当該ＬＥＤ発光体９を玉切れと判断し、玉切れ情報部１６に「玉切れ」であることを数値として記録する（ステップＳ５）。
【００２９】
次に、全ＬＥＤ発光体９の検査が完了したか判断し（ステップＳ６）、未検査のＬＥＤ発光体９が有る場合、再度ステップＳ２〜Ｓ６を繰り返し行なう。
【００３０】
ステップＳ６の結果、全ＬＥＤ発光体９の検査が完了した場合、制御部１１は、玉切れ情報部１６を参照し、玉切れの発光体９の有無を判断する（ステップＳ７）。
【００３１】
ステップＳ７の判断の結果、玉切れの発光体９が無い場合、現行の表示内容を維持し、切り替え部を動作状態にする（ステップＳ８）。
【００３２】
ステップＳ７の判断の結果、玉切れ発光体９が有る場合、表示内容を変更し、切り替え部を操作状態にする（ステップＳ９）。
【００３３】
なお、表示内容の変更は、固定文字で表示されていた場合は、スクロールさせたり、あるいは従来点灯させていたＬＥＤ発光体を消灯させ、従来消灯させていたＬＥＤ発光体を逆に点灯させたりすることであるが、表示内容によっては、文字や図形の大きさを変更することで玉切れのＬＥＤ発光体を使用しないことも可能である。
【００３４】
以上のように、本発明の表示装置によれば、玉切れが発生したとしても、観察者に見苦しい表示内容を見せることを防ぐことができる。
【００３５】
また、表示内容の変更から保守点検等を行なう管理者は、容易に玉切れの発生を認識することができる。
【００３６】
また、玉切れの検査の結果、複数の玉切れのＬＥＤ発光体が検出される場合が想定されるが、この場合においては、点灯させるべきＬＥＤ発光体と消灯させるべきＬＥＤ発光体の個数を比較し、玉切れのＬＥＤ発光体の使用を出来るだけ、少なくする表示内容により、見苦しさを低減させることができる。
【００３７】
（実施の形態２）
近年、赤青緑などの複数の発光色を１画素としたＬＥＤ発光体を使用し、それらの点灯の組合わせで、多彩な色を表現することを可能としたマルチカラーの表示装置がある。
【００３８】
図４は、本発明を前記マルチカラーの表示装置に適用した内部ブロック図であり、表示装置２５は、先に述べた実施の形態１が単色のＬＥＤ発光体であるのに対し、ＬＥＤ表示部２０の１画素が複数の発光色からなり、更に、制御部２１内の玉切れ情報部２６は、各画素の色別に正常／異常（玉切れ）のデータを有するものであり、図５に示されるように、ＬＥＤ表示部２０の内部回路は、ＬＥＤ発光体２２Ｒ、ＬＥＤ発光体２２Ｂ、ＬＥＤ発光体２２Ｇの３種類の発光体を１つの画素２２とし、３種類の発光体を制御部２１から選択制御することにより、多彩な色を表現できるようになっている。
【００３９】
このような表示装置２５に、実施の形態１で述べた玉切れ検出方法を適用することで、各画素２２毎の各発光色毎に、玉切れを検出できるため、検出した結果、赤のＬＥＤ発光体２２Ｒに玉切れが検出された場合は、玉切れが検出されていないＬＥＤ発光体２２Ｂ又はＬＥＤ発光体２２Ｇを使用することで、見苦しい玉切れ状態を回避することができる。
【００４０】
即ち、実施の形態１のような単色の表示装置の場合は、玉切れが発生した場合の対応は、表示内容をスクロールや反転によるが、マルチカラーの表示装置の場合においては、更に表示色を変更することで対応することが可能になる。
【００４１】
なお、上記説明では、赤青緑の３原色で説明したが、これに限られるものではなく、他の色でも適用は可能であり、本実施例は、異なる複数の波長のＬＥＤ発光体を１画素とし、それらの選択制御で、多彩な色を表現するようにした表示装置であるならば、適用可能である。
【００４２】
（実施の形態３）
図６は、本発明の表示装置の第３の実施形態を示す内部ブロック図であり、図３に示されるように、表示装置３０は、制御部３１と、玉切れ情報部３６と、電話回線等により外部と通信するための通信部３５とを備え、図７のシステム構成図に示されるように、表示装置３０は、ネットワーク５０を介し、管理者のいるパソコン５１に接続される。
【００４３】
上記構成により、例えば、玉切れ情報部３６の内容を、管理者が、電話回線を通じ、引き出すことが可能であり、これによれば、山間部の道路に設置された道路標示等の表示装置３０のメンテナンスをリモートで行なうことが可能となるため、わざわざ設置場所に行く手間を省くことができる。
【００４４】
なお、上記説明では、有線の例で説明したが、これは、無線回線であっても良く、その場合には、回線を引く必要がないため、設置工事が容易になることは言うまでも無い。
【００４５】
以上、本発明の各種実施形態を説明したが、本発明は前記実施形態において示された事項に限定されず、特許請求の範囲及び明細書の記載、並びに周知の技術に基づいて、当業者がその変更・応用することも本発明の予定するところであり、保護を求める範囲に含まれる。
【産業上の利用可能性】
【００４６】
本発明は、複数のＬＥＤ発光体を備えた表示部を有する表示装置の個々のＬＥＤ発光体の玉切れの検査方法及びその対応に有用な技術である。
【図面の簡単な説明】
【００４７】
【図１】本発明の第１の実施の形態の表示装置の内部ブロック図。
【図２】本発明の第１の実施の形態に係るＬＥＤ駆動部の概略図。
【図３】本発明の第１の実施の形態の玉切れ検査を示すフローチャート図。
【図４】本発明の第２の実施の形態の表示装置の内部ブロック図。
【図５】本発明の第２の実施の形態に係るＬＥＤ駆動部の概略図。
【図６】本発明の第３の実施の形態の表示装置の内部ブロック図。
【図７】本発明の第３の実施の形態の表示装置システムのシステム構成図。
【図８】従来の表示装置の内部ブロック図。
【図９】従来の表示装置のＬＥＤ駆動部の概略図。
【符号の説明】
【００４８】
１    表示装置
３    ＬＥＤ表示部
５    電源部
７    トランジスタ
９    ＬＥＤ発光体
１０  表示装置
１１  制御部
１２  電流検出部
１５  切り替え選択部
１６  抵抗
１７  比較部
２５  表示装置
３０  表示装置
【図１】
2006145826.tif 000003
【図２】
2006145826.tif 000004
【図３】
2006145826.tif 000005
【図４】
2006145826.tif 000006
【図５】
2006145826.tif 000007
【図６】
2006145826.tif 000008
【図７】
2006145826.tif 000009
【図８】
2006145826.tif 000010
【図９】
2006145826.tif 000011